(57)【要約】【課題】自動車の洗車場等の一隅に設置して、ペットの洗浄を行うための、簡便なペットの洗浄施設を得る。【解決手段】屋根付の温室１０を利用して、ペットの洗浄施設を設ける。温室の入り口１２には、開閉扉１４に加えて、内扉１６を重ねて備えて、開閉扉１４が開いたままでも、内扉１６がバネ機構により温室の入り口１２をその内側から自動的に閉じて、ペットが温室の入り口１２から外部に逃げ出せないようにする。温室１０周囲の引き戸の付いた開口部１８には、格子１７を設けて、引き戸１９を開けた状態においても、ペットが温室の開口部１８から外部に逃げ出せないようにする。温室１０内には、立ったままの楽な姿勢でペットを洗浄可能な脚を持つペット洗浄槽２０と、水又は湯のいずれかを低圧で噴射可能なペット洗浄用のシャワー装置３０とを備える。【選択図】　　　　図１
2004016155.tif 000002
【特許請求の範囲】
【請求項１】
屋根付の温室を利用したペットの洗浄施設であって、
前記温室の入り口には、開閉扉に加えて、内扉が重ねて備えられて、前記開閉扉が開いたまま状態においても、内扉がバネ機構により温室の入り口をその内側から自動的に閉じて、その温室に入れたペットが、温室の入り口から外部に逃げ出せないように構成されると共に、前記内扉を前記バネ機構の弾性力に抗して温室内側に自在に押し開けることが可能に構成され、前記温室周囲の引き戸の付いた開口部には、格子が設けられて、引き戸を開けた状態においても、温室に入れたペットがその開口部から温室外部に逃げ出せないように構成され、温室内には、立ったままの楽な姿勢でペットを洗浄可能な脚を持つペット洗浄槽と、水又は湯のいずれかを低圧で噴射可能なペット洗浄用のシャワー装置とが備えられたことを特徴とするペットの洗浄施設。
【請求項２】
自動車の洗車場又は駐車場の一隅に、ペットが逃げ出せないような囲いを持つ、開閉扉の付いた出入り可能なペットの洗浄場所が設けられて、その洗浄場所に、立ったままの楽な姿勢でペットを洗浄可能な脚を持つペット洗浄槽と、水又は湯のいずれかを低圧で噴射可能なペット洗浄用のシャワー装置とが備えられたことを特徴とするペットの洗い場。
【発明の詳細な説明】
【０００１】
【発明の属する技術分野】
本発明は、犬などのペットを洗浄するための、ペットの洗浄施設と、ペットの洗い場とに関する。
【０００２】
【従来の技術】
犬などのペットは、自宅の風呂場などで、シャワー装置を用いて、水又は湯をペットの身体に掛けながらシャンプーなどにより洗浄している。
【０００３】
【発明が解決しようとする課題】
しかしながら、上記のようにして、ペットを自宅の風呂場で洗浄した場合には、そのペット特有の体臭が風呂場に付いてしまう。そして、その風呂場に付いたペットの体臭は容易に落ちにくい。そのために、その風呂場に付いたペットの体臭を、多大な手数と時間を掛けて、大量の湯や水により風呂場から洗い落とさねばならなかった。その結果、ペットの洗浄が面倒になって、ペットの洗浄が滞りがちであった。
他方、このような、自宅の風呂場でペットを洗浄する面倒な作業を省こうとして、ペットショップなどの専門店に、ペットの洗浄を依頼すると、多大な費用がかかってしまう。
【０００４】
そこで、本発明者は、鋭意研究の結果、自動車の洗車場にペットの洗い場を設ければ、このような難点を一気に解決できることに、想到した。
即ち、そのようにすれば、駐車場のスペースのある自動車の洗車場に、ペットを自動車に乗せて駐車場を気にせずに安心して手軽に連れて行くことができることに、想到した。そして、ペットの体臭が洗浄場所に付くのを気にせずに、その洗車場に備えられた洗車用のシャワー装置により、湯又は水をペットの身体に掛けながら、そのペットの身体をシャンプー等により手軽に洗浄できることに、想到した。また、その際には、ペットの洗浄を自分で行うため、シャワー装置を用いる費用等のみで、ペットの洗浄を安価に行うことができることに、想到した。また、このペットの洗い場は、広い駐車場の一隅に設置しても、上記の自動車の洗車場に設置した場合とほぼ同様な効果が得らることに、想到した。
そして、自動車の洗車場や駐車場の一隅に設置して、ペットの洗浄を行うための、簡便なペットの洗浄施設と、ペットの洗い場とを、開発した。
【０００５】
即ち、本発明は、自動車の洗車場や駐車場の一隅に設置して、ペットの洗浄を行うための、簡便なペットの洗浄施設と、ペットの洗い場とを、提供することを目的としている。
【０００６】
【課題を解決するための手段】
このような目的を達成するために、本発明のペットの洗浄施設は、屋根付の温室を利用したペットの洗浄施設であって、
前記温室の入り口には、開閉扉に加えて、内扉が重ねて備えられて、前記開閉扉が開いたまま状態においても、内扉がバネ機構により温室の入り口をその内側から自動的に閉じて、その温室に入れたペットが、温室の入り口から外部に逃げ出せないように構成されると共に、前記内扉を前記バネ機構の弾性力に抗して温室内側に自在に押し開けることが可能に構成され、前記温室周囲の引き戸の付いた開口部には、格子が設けられて、引き戸を開けた状態においても、温室に入れたペットが開口部から温室外部に逃げ出せないように構成され、温室内には、立ったままの楽な姿勢でペットを洗浄可能な脚を持つペット洗浄槽と、水又は湯のいずれかを低圧で噴射可能なペット洗浄用のシャワー装置とが備えられたことを特徴としている。
【０００７】
このペットの洗浄施設においては、ペットの洗浄者は、その温室の入り口に重ねて備えられた、開閉扉と内扉とを開いて、温室内にペットを連れて入ることができる。そして、ペットの体臭が洗浄場所に付くのを気にせずに、その温室内に備えられたペット洗浄槽にペットを置いて、その洗浄槽内で、温室内に備えられたシャワー装置により、ペットの身体に湯又は水を掛けながら、ペットの身体をシャンプー等により洗浄できる。
その際には、ペットの洗浄者は、立ったままの楽な姿勢で、脚を持つペット洗浄槽内で、ペットを洗浄できる。また、シャワー装置は、水又は湯のいずれかを低圧で噴射可能な構造のため、そのシャワー装置により、ペットの身体に水又は湯を低圧で振りかけることができる。そして、ペットが自己の身体に水又は湯が振りかかるのをいやがるのを防いで、そのペットを落ち着かせて安心させて洗浄できる。
また、その際には、温室の入り口の開閉扉をうっかりと開けたままの状態にしておいても、その入り口を、バネ機構の付いた内扉によりその内側から自動的に閉じることができる。そして、その入り口から、温室に入れたペットが、温室外部に逃げ出すのを、防ぐことができる。同様に、夏等の暑い時期に、温室周囲の引き戸の付いた開口部を開けた状態のままにしておいても、その開口部が格子により覆われているために、その開口部から、ペットが温室外部に逃げ出すのを、防ぐことができる。
また、屋根付の温室内でペットの洗浄を行うために、ペットの洗浄者は、雨降りや雪降りの日でも、雨や雪を気にせずに、ペットの洗浄を快適に行うことができる。また、寒い日であっても、太陽が出ている日中であれば、温室内は太陽熱により暖められるために、ペットの洗浄者は、寒さを感じずに、その温室内でペットの洗浄を快適に行うことができる。
【０００８】
また、本発明のペットの洗い場は、自動車の洗車場又は駐車場の一隅に、ペットが逃げ出せないような囲いを持つ、開閉扉の付いた出入り可能なペットの洗浄場所が設けられて、その洗浄場所に、立ったままの楽な姿勢でペットを洗浄可能な脚を持つペット洗浄槽と、水又は湯のいずれかを低圧で噴射可能なペット洗浄用のシャワー装置とが備えられたことを特徴としている。
【０００９】
このペットの洗い場においては、洗浄場所が、自動車を余裕を持って駐車可能な洗車場又は駐車場の一隅に設けられているため、ペットの洗浄者は、その洗車場所又は駐車場にペットを自動車に乗せて、駐車場所を気にせずに安心して運ぶことができる。
また、自動車の洗車場には、洗車用のシャワー装置及び排水施設が備えられているために、そのシャワー装置及び排水施設を有効利用して、ペットの身体に湯又は水を振りかけながら、シャンプー等によりペットの身体の洗浄を、その洗浄場所にペットの体臭が付くのを気にせずに安心して手軽に行える。また、シャワー装置が、水又は湯のいずれかを低圧で噴射可能な構造をしているために、そのシャワー装置により、ペットの身体に水又は湯を低圧で振りかけることができる。そして、ペットが水又は湯が自己の身体に振りかかるのをいやがるのを、的確に防いで、ペットを落ち着かせて安心させて洗浄できる。
また、その洗浄場所が、ペットが逃げ出せないような囲いを持つ、開閉扉の付いた出入り可能な構造をしているために、その洗浄場所にペットを逃げ出せないように入れて、その洗浄場所でペットの身体の洗浄を落ち着いて安心して行える。
【００１０】
【発明の実施の形態】
図１と図２は本発明のペットの洗浄施設の好適な実施の形態を示し、図１はその外観図、図２はその平面見取り図である。以下に、このペットの洗浄施設を説明する。
【００１１】
このペットの洗浄施設は、図１に示したように、その周囲の多くがガラス板１１で囲まれた市販の屋根付の温室１０を利用している。温室１０は、ブロック石１３を介して、施設場所に一段高く設置している。そして、温室１０内の水捌けを良くしている。
温室の入り口１２には、開閉扉１４に加えて、格子状の内扉１６が重ねて備えられている。そして、開閉扉１４が開いたままの状態においても、内扉１６がバネ機構（図示せず）により温室の入り口１２をその内側から自動的に閉じる構造をしている。そして、その温室１０に入れたペットが、温室の入り口１２から温室１０外部に逃げ出せないように構成されている。それと共に、ペットの洗浄者は、内扉１６をバネ機構の弾性力に抗して温室１０内側に自在に押し開けることができるように構成されている。温室１０周囲の引き戸１９の付いた開口部１８には、格子１７が設けられている。そして、引き戸１９を開けた状態においても、温室１０に入れたペットが、格子１７に妨げられて、温室の開口部１８から温室１０外部に逃げ出せないように構成されている。温室１０内には、図２に示したように、立ったままの楽な姿勢でペットを洗浄可能な脚（図示せず）を持つペット洗浄槽２０と、水又は湯のいずれかを水道圧に近い低圧で噴射可能なペット洗浄用のシャワー装置３０とが備えられている。
【００１２】
図１と図２に示したペットの洗浄施設は、以上のように構成されていて、このペットの洗浄施設においては、ペットの洗浄者は、その温室の入り口１２に重ねて備えられた、開閉扉１４と内扉１６とを開いて、温室１０内にペットを連れて入ることができる。そして、その温室１０内に備えられたペット洗浄槽２０にペットを置いて、その洗浄槽２０内で、ペットの体臭が洗浄場所に付くのを気にせずに、温室１０内に備えられたシャワー装置３０により、ペットの身体に湯又は水を掛けながら、ペットの身体をシャンプー等により洗浄できる。
その際には、ペットの洗浄者は、立ったままの楽な姿勢で、脚を持つペット洗浄槽２０内で、ペットを洗浄できる。また、シャワー装置３０は、水又は湯のいずれかを低圧で噴射できる構造のため、そのシャワー装置３０により、ペットの身体に水又は湯を低圧で振りかけることができる。そして、ペットが自己の身体に水又は湯が振りかかるのをいやがるのを防いで、そのペットを落ち着かせて安心させて洗浄できる。
また、その際には、温室の入り口１２の開閉扉１４をうっかりと開けたままの状態にしておいても、その入り口１２を、バネ機構の付いた内扉１６によりその内側から自動的に閉じることができる。そして、その入り口１２から、温室１０に入れたペットが、温室１０外部に逃げ出すのを、防ぐことができる。同様に、夏等の暑い時期に、温室１０周囲の引き戸１９の付いた開口部１８を開けた状態のままにしておいても、その開口部１８が格子１７により覆われているために、その開口部１８から、ペットが温室１０外部に逃げ出すのを、防ぐことができる。
また、屋根付の温室１０内でペットの洗浄を行うために、ペットの洗浄者は、雨降りや雪降りの日でも、雨や雪を気にせずに、快適にペットの洗浄を行うことができる。また、寒い日であっても、太陽が出ている日中であれば、温室１０内は太陽熱により暖められるために、ペットの洗浄者は、寒さを感じずに、その温室１０内でペットの洗浄を快適に行うことができる。
【００１３】
このペットの洗浄施設においては、その温室１０周囲の多くを覆うガラス板１１に、半透明ガラス、ミラーガラス等を用いて、外部から温室１０内部を覗き見られないようにしても良い。又は、そのガラス板１１内側を、ブラインド等により覆って、外部から温室１０内部を覗き見られないようにしても良い。そして、温室１０内に入ったペットやその洗浄者が、他人に温室１０外部から覗き見られずに、安心してペットの洗浄等を行えるようにしても良い。
【００１４】
図３は本発明のペットの洗い場の好適な実施の形態を示し、図３はその平面見取り図である。以下に、このペットの洗い場を説明する。
【００１５】
この洗い場は、自動車の洗車場又は駐車場１００の一隅に、ペットが逃げ出せないような格子状の囲い１０２を持つ、開閉扉１０１の付いた出入り可能なペットの洗浄場所１０４が設けられている。
洗浄場所１０４には、立ったままの楽な姿勢でペットを洗浄可能な脚（図示せず）を持つペット洗浄槽２０と、水又は湯のいずれかを低圧で噴射可能なペット洗浄用のシャワー装置３０とが備えられている。
【００１６】
図３に示したペットの洗い場は、以上のように構成されていて、このペットの洗い場においては、洗浄場所１０４が、自動車を余裕を持って駐車可能な広い洗車場又は駐車場１００の一隅に設けられているために、ペットの洗浄者は、その洗浄場所１０４にペットを自動車に乗せて、駐車場所を気にせずに安心して運ぶことができる。
また、自動車の洗車場１００には、洗車用のシャワー装置３０及び排水施設（図示せず）が備えられているために、そのシャワー装置３０及び排水施設を有効利用して、ペットの身体に湯又は水を振りかけながら、シャンプー等によりペットの身体を、その洗浄場所１０４にペットの体臭が付くのを気にせずに安心して手軽に行える。また、シャワー装置３０が、水又は湯のいずれかを低圧で噴射可能な構造をしているために、そのシャワー装置３０により、ペットの身体に水又は湯を低圧で振りかけることができる。そして、ペットが水又は湯が自己の身体に振りかるのをいやがるのを防いで、そのペットを落ち着かせて安心させて洗浄できる。
また、その洗浄場所１０４が、ペットが逃げ出せないような囲い１０２を持つ、開閉扉１０１の付いた出入り可能な構造をしているために、その洗浄場所１０４にペットを逃げ出せないように入れて、その洗浄場所１０４でペットの身体の洗浄を落ち着いて安心して行える。
なお、この洗車場又は駐車場１００の一隅に設ける洗い場には、図１と図２に示したペットの洗浄施設を設置することも、可能である。
【００１７】
【発明の効果】
以上説明したように、本発明のペットの洗浄施設、又はペットの洗い場によれば、ペットの洗浄者は、自動車を安心して駐車可能な広い駐車場所を持つ、自動車の洗車場、駐車場等に、ペットを自動車に乗せて手軽に連れて行って、その洗車場、駐車場等の一隅に設置されたペットの洗浄施設、又はペットの洗い場で、ペットの身体に湯又は水を振りかけながら、ペットの体臭が洗浄場所に付くのを気にせずに、安心して手軽に安価にかつ快適に、ペットをシャンプー等により洗浄できる。
【図面の簡単な説明】
【図１】本発明のペットの洗浄施設の外観図である。
【図２】本発明のペットの洗浄施設の平面見取り図である。
【図３】本発明のペットの洗い場の平面見取り図である。
【符号の説明】
１０　温室
１２　温室の入り口
１４　開閉扉
１６　内扉
１７　格子
１８　温室の開口部
１９　引き戸
２０　ペット洗浄槽
３０　シャワー装置
１００　洗車場又は駐車場
１０１　開閉扉
１０２　囲い
１０４　洗浄場所
【図１】
2004016155.tif 000003
【図２】
2004016155.tif 000004
【図３】
2004016155.tif 000005